(57)【要約】【課題】記載内容の変更時に起こし直す版の費用を安価に済ませることができる据付工事説明書を提供する。【解決手段】建物等に据付けられる機器２に付随して供され、その機器２の据付方法の説明を記載したものであって、前記機器２の取り扱い方法を説明する取扱説明書６と同等のサイズの冊子で構成され、前記取扱説明書６と共に同梱されるもので、印刷片面あたりの記載内容が少なくなり、記載内容の変更時に起こし直す印刷の版のサイズが小さくなり、変更にかかる費用が安価に済ませることができる。また、据付工事説明書７を読む際に、わざわざ広げる必要が無くなり、据付工事を行う時の手間を軽減し、広げるスペースも小さくてすむので使用勝手が良い。【選択図】図１
2008018618.tif 000002
【特許請求の範囲】
【請求項１】
建物等に据付けられる機器に付随して供され、その機器の据付方法の説明を記載したものであって、前記機器の取り扱い方法を説明する取扱説明書と同等のサイズの冊子で構成され、前記取扱説明書と共に同梱されることを特徴とする据付工事説明書。
【請求項２】
冊子のサイズを、ＩＳＯ−ＡシリーズのＡ４サイズ、もしくはそれと同等サイズとしたことを特徴とした請求項１に記載の据付工事説明書。
【請求項３】
冊子の記載内容は、一般的な機器に当てはまる据付工事方法の説明と、同梱される機器だけに当てはまる据付工事方法の説明から構成されていることを特徴とした請求項１又は２に記載の据付工事説明書。
【請求項４】
取扱説明書と合冊になっていることを特徴とした請求項１〜３のいずれか１項に記載の据付工事説明書。
【発明の詳細な説明】
【技術分野】
【０００１】
本発明は、空気調和機など据付機器の据付工事を行う際の手順を記載している据付工事説明書に関するものである。
【背景技術】
【０００２】
従来、この種の据付工事説明書は、図３に示すように、ＩＳＯ−ＡシリーズのＡ１サイズやＡ２サイズ程度の大きな用紙に両面印刷されて、また、通常のＡ４サイズ程度の取扱説明書と同梱するために、図４に示すように同等のＡ４サイズまで折り畳まれていた（例えば、特許文献１参照）。
【特許文献１】特開平８−３１８６８８号公報
【発明の開示】
【発明が解決しようとする課題】
【０００３】
しかしながら、このような従来の据付工事説明書の構成では、印刷する片面あたりの記載事項が非常に多いので、据付工事手順に若干の変更が生じた時や、誤記を訂正するといった記載内容の変更時は、１文字の変更でもＡ１サイズ、もしくはＡ２サイズ程度の片面全部の版を起こし直さなければならない、という課題を有していた。また、機器の据付現場で使用する際、据付工事説明書を広げないと読めないという課題も有していた。
【０００４】
本発明は、前記従来の課題を解決するもので、記載内容の変更時に、変更箇所が小さく、変更に伴う費用が安価に済ませられる据付工事説明書を提供することを目的とする。
【課題を解決するための手段】
【０００５】
前記従来の課題を解決するために、本発明の据付工事説明書は、建物等に据付けられる機器に付随して供され、その機器の据付方法の説明を記載したものであって、前記機器の取り扱い方法を説明する取扱説明書と同等のサイズの冊子で構成され、前記取扱説明書と共に同梱されるもので、印刷片面あたりの記載内容が少なくなり、記載内容の変更時に起こし直す印刷の版のサイズが小さくなり、変更にかかる費用が安価に済ませることができる。また、据付工事説明書を読む際に、わざわざ広げる必要が無くなり、据付工事を行う時の手間を軽減し、据付工事説明書を広げるスペースも小さくてすむので使用勝手が良い。
【発明の効果】
【０００６】
本発明の据付工事説明書は、記載内容の変更時に起こし直す版の費用を安価に済ませることができる。
【発明を実施するための最良の形態】
【０００７】
第１の発明は、建物等に据付けられる機器に付随して供され、その機器の据付方法の説明を記載したものであって、前記機器の取り扱い方法を説明する取扱説明書と同等のサイズの冊子で構成され、前記取扱説明書と共に同梱されるもので、印刷片面あたりの記載内容が少なくなり、記載内容の変更時に起こし直す印刷の版のサイズが小さくなり、変更にかかる費用が安価に済ませることができる。また、据付工事説明書を読む際に、わざわざ広げる必要が無くなり、据付工事を行う時の手間を軽減し、据付工事説明書を広げるスペースも小さくてすむので使用勝手が良い。
【０００８】
第２の発明は、特に、第１の発明の冊子のサイズを、ＩＳＯ−ＡシリーズのＡ４サイズ、もしくはそれと同等サイズとしたもので、同じ冊子形状かつ同じサイズとなるので、梱
包作業が行いやすくなる。
【０００９】
第３の発明は、特に、第１または第２の発明の冊子の記載内容は、一般的な機器に当てはまる据付工事方法の説明と、同梱される機器だけに当てはまる据付工事方法の説明から構成されているもので、例えば、空気調和機の据付工事説明書を編集・印刷する際に、その空気調和機特有の据付工事を説明している箇所のみの編集で済むため、編集にかかる手間が削減でき、印刷の版を起こす費用も削減することができる。
【００１０】
第４の発明は、特に、第１〜３のいずれか１つの発明の取扱説明書と合冊になっているもので、機器の据付工事を行った者が、据付工事後、据付工事説明書を持ち帰ってしまうことが無く、実際に使用する者が、後で確実に据付工事説明書を見ることができる。また、再度同じ機器を据付け直す場合に、初回に据付工事を行った者以外でも据付工事説明書を見ることができるので、安全確実に据付工事を行うことができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における据付工事説明書と同梱される機器とその梱包装置の全体を示す斜視図、図２（ａ）は、同据付工事説明書の斜視図、（ｂ）は、同据付工事説明書の印刷例を示す図である。
【００１３】
図１において、１は、ダンボール材などからなる梱包装置で、２は、空気調和機などの機器で、カバー部材３でカバーされた後両端を発泡スチロールなどからなる緩衝材４で保持した状態で、梱包装置１に収納される。５は、機器２と共に梱包装置１に同梱される袋体で、内部に、いずれもＩＳＯ−ＡシリーズのＡ４サイズで冊子状で、機器２の使用方法を記載した取扱説明書６と、機器２の据付方法を記載した据付工事説明書７とが収納されている。
【００１４】
また、本実施の形態における据付工事説明書７は、図２（ｂ）に例を示すように、一般的な機器２に当てはまる据付工事方法、例えば一般的な空気調和機を据え付ける際に当てはまるような据付工事方法を５ページに記載し、同梱される機器２だけに当てはまる据付工事方法、例えば、同梱される空気調和機、型式１２３４５６だけに当てはまる据付工事方法を、他のページ、例えば、６ページに記載するようにしている。
【００１５】
以上のように、本実施の形態によれば、据付工事説明書７は、サイズの小さい取扱説明書６と同等のサイズの冊子で構成されているので、印刷片面あたりの記載内容が少なくなり、記載内容の変更時に起こし直す印刷の版のサイズが小さくなり、変更にかかる費用が安価に済ませることができる。また、据付工事説明書７を読む際に、わざわざ広げる必要が無くなり、据付工事を行う時の手間を軽減し、また据付工事説明書７を広げるスペースも小さくてすむので使用勝手が良い。
【００１６】
また、冊子状の据付工事説明書７のサイズを、ＩＳＯ−ＡシリーズのＡ４サイズ、もしくはそれと同等サイズとすることで、取扱説明書６と同じ冊子形状かつ同じサイズとなるので、梱包作業が行いやすくなる。なお、同等のサイズとして、米国内で一般的に利用されているレターサイズなどがある。
【００１７】
さらに、据付工事説明書７の冊子の記載内容を、一般的な機器２に当てはまる据付工事方法の説明と、同梱される機器２だけに当てはまる据付工事方法の説明で構成することにより、例えば、空気調和機の据付工事説明書を編集・印刷する際に、その空気調和機特有
の据付工事を説明している箇所のみの編集で済むため、編集にかかる手間が削減でき、印刷の版を起こす費用も削減することができる。
【００１８】
なお、上記実施の形態では、取扱説明書６と据付工事説明書７とを別冊にしたが、それを合冊しても良い。そうすれば、機器２の据付工事を行った者が、据付工事後、据付工事説明書を持ち帰ってしまったり、据付現場に置き忘れたりすることが無く、実際に使用する者が、後で確実に据付工事説明書７を見ることができる。また、再度同じ機器を据付け直す場合にも、初回に据付工事を行った者以外でも据付工事説明書７を見ることができ、安全確実に据付工事を行うことができる。
【産業上の利用可能性】
【００１９】
以上のように、本発明に係る据付工事説明書は、記載内容の変更時に起こし直す版の費用を安価に済ませることができるもので、各種据付工事説明書に適用できる。
【図面の簡単な説明】
【００２０】
【図１】本発明の実施の形態１における据付工事説明書と同梱される機器とその梱包装置の全体を示す斜視図
【図２】（ａ）同据付工事説明書の斜視図（ｂ）同据付工事説明書の印刷例を示す図
【図３】従来の据付工事説明書の両面図
【図４】同据付工事説明書の折りたたみ方を示した簡易図
【符号の説明】
【００２１】
１  梱包装置
２  機器
６  取扱説明書
７  据付工事説明書
【図１】
2008018618.tif 000003
【図２】
2008018618.tif 000004
【図３】
2008018618.tif 000005
【図４】
2008018618.tif 000006